(57)【要約】【課題】掃除機の重心を低くすると共に、長くなった吸気経路からの吸気の漏れを可及的に少なくする。【解決手段】電動送風機５を有すると共に上部にサイクロン筒６を着脱自在に設けた掃除機本体２と、この掃除機本体２に設けた中継管１９に排気用接続口１０を接続した吸込ノズルたる床掃除用ノズル１と、前記中継管１９に一次側を接続すると共に二次側を前記サイクロン筒６に形成した導入口１６を接続した導入管１７とを備える。前記導入管１７を前記中継管１９に対して着脱自在に設けると共に、前記導入管１７を前記サイクロン筒６と一体に形成する。重量のある前記電動送風機５を前記掃除機本体２の下部に配置して重心を下げて操作性を向上し、一方、前記掃除機本体２の上部に配置された前記サイクロン筒６には前記導入管１７を継ぎ目なく一体に形成したことで、吸気経路の継ぎ目を可及的に少なくして空気漏れをなくすることができる。【選択図】図１
2007167451.tif 000002
【特許請求の範囲】
【請求項１】
下部に電動送風機を有すると共に上部にサイクロン筒を着脱自在に設けた掃除機本体と、該掃除機本体に一体に設けた中継管に排気用接続口を接続した吸込ノズルと、前記中継管に一次側を接続すると共に二次側を前記サイクロン筒に形成した導入口を接続した導入管とを備え、前記導入管を中継管に対して着脱自在に設けると共に、該導入管を前記サイクロン筒と一体に形成したことを特徴とするサイクロン式電気掃除機。
【請求項２】
前記掃除機本体の下方に前記吸込ノズルを設けると共に、前記掃除機本体の上方にハンドルを突設することを特徴とする請求項１記載のサイクロン式電気掃除機。
【請求項３】
前記中継管は前記掃除機本体の後部に上下方向に設けられ、前記導入管は前記サイクロン筒の後部の外側に上下方向に設けられたことを特徴とする請求項１又は２記載のサイクロン式電気掃除機。
【発明の詳細な説明】
【技術分野】
【０００１】
本発明は、旋回気流による遠心力を利用して集塵するサイクロン式電気掃除機に関するものである。
【背景技術】
【０００２】
従来、この種のものとして、上部に電動送風機を有すると共に下部にサイクロン筒を着脱自在に設けた掃除機本体と、該掃除機本体の下方に前記掃除機本体と一体的に設けられた吸込ノズルと、前記掃除機本体の上方に突設したハンドルを備えたスティック型のサイクロン式電気掃除機が知られている（例えば特許文献１）。
【０００３】
このようなスティック型のサイクロン式電気掃除機においては、重量の大きい電動送風機が掃除機本体の上部に配置されているので、掃除機の重心が高くなり、この結果、ハンドルを握って吸込ノズルを床上を動かすときの操作性が劣りやすくなる。
【０００４】
また、従来技術においては、吸込ノズルに一次側を接続すると共に二次側を前記サイクロン筒に接続した吸気筒は、幾つかの筒部を接続して形成されていたので、筒部の継ぎ目が比較的多数形成されることで、これらの継ぎ目から塵埃を含んだ吸気が漏れてしまう虞があった。
【特許文献１】特開２００３−２０４９０７公報
【発明の開示】
【発明が解決しようとする課題】
【０００５】
そこで、スティック型のサイクロン式電気掃除機において、前記電動送風機を前記掃除機本体の下部に配置すると共に、前記サイクロン筒を前記掃除機本体の上部に配置することで、前記掃除機の重心を低くして操作性を向上させることができるが、このような場合には、前記サイクロン筒が前記掃除機本体の上部に配置されることになるので、前記サイクロン筒と吸込ノズルとを接続する吸気筒の長さが長くなってしまい、吸気漏れの可能性が増大する虞がある。
【０００６】
本発明は以上の問題点を解決し、電動送風機を掃除機本体の下部に配置してサイクロン筒を前記掃除機本体の上部に配置することで掃除機の重心を低くすると共に、長くなった吸気経路からの吸気漏れを可及的に少なくすることができるサイクロン式電気掃除機を提供することを目的とする。
【課題を解決するための手段】
【０００７】
請求項１の発明は、下部に電動送風機を有すると共に上部にサイクロン筒を着脱自在に設けた掃除機本体と、該掃除機本体に一体に設けた中継管に排気用接続口を接続した吸込ノズルと、前記中継管に一次側を接続すると共に二次側を前記サイクロン筒に形成した導入口を接続した導入管とを備え、前記導入管を中継管に対して着脱自在に設けると共に、該導入管を前記サイクロン筒と一体に形成したことを特徴とするサイクロン式電気掃除機である。
【０００８】
請求項２の発明は、前記掃除機本体の下方に前記吸込ノズルを設けると共に、前記掃除機本体の上方にハンドルを突設することを特徴とする請求項１記載のサイクロン式電気掃除機である。
【０００９】
請求項３の発明は、前記中継管が前記掃除機本体の後部に上下方向に設けられ、前記導入管が前記サイクロン筒の後部の外側に上下方向に設けられたことを特徴とする請求項１又は２記載のサイクロン式電気掃除機である。
【発明の効果】
【００１０】
請求項１の発明によれば、重量のある前記電動送風機を前記掃除機本体の下部に配置して重心を下げて操作性を向上し、一方前記掃除機本体の上部に配置された前記サイクロン筒には前記導入管を継ぎ目なく一体に形成して空気漏れをなくすることができる。
【００１１】
請求項２の発明によれば、前記ハンドルを握って、掃除機本体の重心が低くなっている掃除機を自在に操作することができる。
【００１２】
請求項３の発明によれば、前記中継管、導入管を直線状に配置することで、気流の空気抵抗を可及的に少なくすることができる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
本実施例について、図１乃至図５に基づいて説明する。なお、本実施例においては、図１の姿勢を基準として、長手方向を上下と規定する。吸込ノズルたる床掃除用ノズル１が下方に着脱自在に取り付けられた掃除機本体２の下部内側に、電動機３とこの電動機３の回転軸に取り付けられたファン４からなる電動送風機５が設けられ、前記掃除機本体２の内部上部にはサイクロン筒６が着脱自在に設けられており、このサイクロン筒６の下部に前記電動送風機５の一次側が対向していると共に、前記電動送風機５の二次側が掃除機本体２に設けた排気部７に接続されている。さらに、前記掃除機本体２の上方には、棒状のハンドル８が上方に向けて突設している。
【００１５】
前記床掃除用ノズル１は、下面前部に横長の吸込口９が設けられ、上面後部に管状の排気用接続口１０が揺動自在に立設していると共に、前記床掃除用ノズル１の後部には車輪１Ａが回動自在に設けられている。
【００１６】
前記サイクロン筒６は、前記床掃除用ノズル１より吸引した塵埃を含む空気を内部で旋回気流として、この旋回気流による遠心力によって、清浄な空気と塵埃とを分離するものであって、前記掃除機本体２における前記電動送風機５の上方に位置して設けられた収容部１１に、前記サイクロン筒６が着脱自在に設けられている。
【００１７】
前記サイクロン筒６は、上部開口部及び下部開口部を有し透明又は半透明の樹脂によって形成された円筒状の筒本体１２と、前記上部開口部を塞ぐ天板１３と、前記下部開口部を塞ぐように着脱自在に嵌合する円板状の底板１４と、この底板１４上に載置して前記下部開口部を塞ぐように着脱自在に嵌合する上部底板１５とを備え、さらに前記筒本体１２の上部には内外を連通する気流の導入口１６が形成されており、この導入口１６は前記筒本体１２の上端側に設けられると共に、前記導入口１６の中心線１６Ａは前記筒本体１２の内周面の接線と平行或いはほぼ平行になるように配置されている。そして、前記導入口１６に上端が接続された気流の導入管１７が前記筒本体１２の外側に一体に形成されている。
【００１８】
そして、前記掃除機本体２の背面側下部には、突出部１８が下方に向けて一体的に設けられており、この突出部１８の内部には中継管１９が上下方向に一体的に固定されており、この中継管１９の下端１９Ａに前記排気用接続口１０の上端が着脱可能に嵌合するようになっている。
【００１９】
前記導入管１７は前記筒本体１２の後部に上下方向に合成樹脂により一体成型されるものであって、その下端１７Ａは前記中継管１９の上端１９Ｂに嵌合して着脱自在に接続できるようになっている。
【００２０】
前記天板１３にはサイクロン筒６の上部を掃除機本体２に着脱自在に固定するためのストッパー２０が設けられている。このストッパー２０は、前記天板１３に取り付けられ、中央部に設けられた軸２１回りに回動自在な梃子体２２の先端の係止部２３が、前記掃除機本体２に設けた係止受け部２４に係止可能であると共に、前記梃子体２２の基端には前記天板１３との間に弾性体であるバネ２５が設けられ、前記係止部２３が前記係止受け部２４に常時係止するように付勢されている。
【００２１】
前記底板１４の中央には、上下方向に貫通する第一の貫通部２６が形成されており、この第一の貫通部２６の上方には、第一の円錐状突起２７が突設している。この第一の円錐状突起２７は裁頭円錐状であって、その周面及び上面に内外を連通する第二の貫通部２８が形成されていると共に、この第二の貫通部２８には集塵捕捉用の第一のフィルター２９が設けられている。一方、前記底板１４の下面にはパッキン３０が下方に向けて突設している。このパッキン３０は第一の貫通部２６を中心としてその周囲に二重に環状に配置されるものであり、セットしたときに載置面３１に内パッキン３０Ａの下端が接すると共に、外パッキン３０Ｂが前記筒本体１２の下部開口部の内面に接するようになっている。
【００２２】
前記上部底板１５の中央には、上下方向に貫通する第三の貫通部３２が形成されており、この第三の貫通部３２の上方には第二の円錐状突起３３が突設している。この第二の円錐状突起３３の上端は前記空気導入口１６とほぼ同じ高さ位置にあって、前記第二の円錐状突起３３の周面には内外を連通する第四の貫通部３４が形成されていると共に、この第四の貫通部３４には集塵捕捉用の第二のフィルター３５が設けられている。
【００２３】
前記収容部１１は、上方の全部と、後方及び左右側方の一部とを開放すると共に、前方のほぼ全部を塞ぐように設けられるものであって、前記電動送風機５上に位置して前記サイクロン筒６が載置するように水平に設けられる前記載置面３１と、前記サイクロン筒６の前面に対向して該前面を覆うように設けられる前壁３６と、前記サイクロン筒６の後面と対向して該後面を覆う後壁３７と、前記サイクロン筒６の左右側面に対向して該左右側面を覆う左右側壁３８を有する。前記載置面３１の中央には前記電動送風機５の一次側が臨むように第五の貫通部３９が形成されている。前記前壁３６は前記サイクロン筒６の下部から上下方向の中間部よりさらにやや上方まで覆う。また、前記後壁３７は前記サイクロン筒６の下部のみを覆う。さらに、前記左右側壁３８の前側は前記前壁３６に接続されて前記サイクロン筒６の下部から上下方向のほぼ中間部まで覆うと共に、前記左右側壁３８の後側は前記サイクロン筒６の下部のみを覆うように前側から後側へ次第に低くなるように傾斜している。
【００２４】
次に、本実施例の作用について説明する。本実施例の電気掃除機は、不使用時には、前記床掃除用ノズル１に対して前記掃除機本体２を直立させることで、自立状態とすることができる。そして、床や絨毯等の掃除を行う場合、使用者は前記ハンドル８を握って前記掃除機本体２を後方に倒すと共に、スイッチ（図示せず）を閉成する。これによって、前記電動送風機５が作動することで、塵埃を含んだ気流が前記吸込口９から吸引され、この空気は前記排気用接続口１０、中継管１９、導入管１７を介して前記導入口１６より前記サイクロン筒６に導入される。このサイクロン筒６に導入された気流は、前記第二のフィルター３５、第一のフィルター２９を介して第四の貫通部３４、第二の貫通部２８、第一の貫通部２６、第五の貫通部３９より前記ファン４を介して排気部７より外部に排気されるようになっている。そして、前記導入口１６から内部に流入する気流は、前記サイクロン筒６の内壁に沿って旋回しながら下降し、この過程で気流に含まれる塵埃が遠心力によって清浄空気と分離されて前記上部底板１５上に堆積し、一方、清浄空気は前記第二のフィルター３５、第一のフィルター２９を通過して排気される。なお、前記第二のフィルター３５、第一のフィルター２９によって、遠心力によって分離されなかった細かな塵埃が捕捉され、細かな塵埃が除かれた空気が前記排気部７より排気される。
【００２５】
掃除終了後に前記サイクロン筒６に蓄積した塵埃を取り除くには、まず前記ストッパー２０の基端を前記バネ２５に抗して押圧することで、前記係止部２３と前記係止受け部２４の係止状態を解除する。次に、前記サイクロン筒６を前記収容部１１より上方に抜き出す。これにより、前記筒本体１２、ひいては前記サイクロン筒６と一体な前記導入管１７の下端が前記中継管１９の上端より外れる。そして、前記天板１３を開き、前記サイクロン筒６を上下逆さにすることによって、上部開口部を開放して塵埃を廃棄する。なお、前記各フィルター２９，３５が汚れた場合、前記底板１４及び上部底板１５を取り外して洗浄する。
【００２６】
そして、再び前記サイクロン筒６を前記掃除機本体２にセットするには、前記サイクロン筒６の上下を戻し、前記天板１３を閉じ、前記ストッパー２０の基端を前記バネ２５に抗して押圧することで、前記係止部２３を持ち上げる。なお、前記筒本体１２から前記底板１４及び上部底板が取り外されている場合は、前記筒本体１２の下部開口部に前記上部底板１５、底板１４を取り付け、そして前記底板１４が前記載置面３１に対向するように、前記筒本体１２の下端を前記載置面３１に載置する。この際、前記内パッキン３０Ａを前記載置面３１に当接させて前記第五の貫通部３９の上部周辺を気密に維持する。そして、前記ストッパー２０の基端の押圧を解除することで、前記係止部２３を前記係止受け部２４に係止させて、前記サイクロン筒６の抜け止めを図る。
【００２７】
以上のように、前記実施例では下部に電動送風機５を有すると共に上部にサイクロン筒６を着脱自在に設けた掃除機本体２と、この掃除機本体２に設けた中継管１９に排気用接続口１０を接続した吸込ノズルたる床掃除用ノズル１と、前記中継管１９に一次側を接続すると共に二次側を前記サイクロン筒６に形成した導入口１６に接続した導入管１７とを備え、前記導入管１７を前記中継管１９に対して着脱自在に設けると共に、前記導入管１７を前記サイクロン筒６と一体に形成したことにより、重量のある前記電動送風機５を前記掃除機本体２の下部に配置して重心を下げて操作性を向上し、一方、前記掃除機本体２の上部に配置された前記サイクロン筒６には前記導入管１７を継ぎ目なく一体に形成したことで、前記床掃除用ノズル１からの吸気を前記中継管１９、導入管１７を介して前記サイクロン筒６に導入できるので、その間の継ぎ目を可及的に少なくして空気漏れをなくすることができる。
【００２８】
また、前記掃除機本体２の下方に前記床掃除用ノズル１を設けると共に、前記掃除機本体２の上方にハンドル８を突設するスティック型のサイクロン式電気掃除機に用いることにより、前記掃除機本体２の上方にあるハンドル８を握って、前記掃除機本体２の重心が低くなっている掃除機を自在に操作することができる。
【００２９】
さらに、前記中継管１９が前記掃除機本体２の後部に上下方向に設けられ、前記導入管１７が前記サイクロン筒６の後部の外側に上下方向に設けられたことにより、前記床掃除用ノズル１の後部に配置された前記排気用接続口１０上に、前記中継管１９、導入管１７を直線状に配置することで、気流の空気抵抗を可及的に少なくして吸い込み効率を向上することができる。
【産業上の利用可能性】
【００３０】
以上のように本発明にかかるサイクロン式電気掃除機は、各種の用途に適用できる。
【図面の簡単な説明】
【００３１】
【図１】本発明の実施例１を示す左側面図である。
【図２】本発明の実施例１を示す要部の正面図である。
【図３】本発明の実施例１を示す要部の背面図である。
【図４】本発明の実施例１を示す要部の断面図である。
【図５】本発明の実施例１を示すサイクロン筒を外した状態の要部の断面図である。
【符号の説明】
【００３２】
１  床掃除用ノズル（吸込ノズル）
２  掃除機本体
５  電動送風機
６  サイクロン筒
８  ハンドル
１０  排気用接続口
１６  導入口
１７  導入管
１９  中継管
【図１】
2007167451.tif 000003
【図２】
2007167451.tif 000004
【図３】
2007167451.tif 000005
【図４】
2007167451.tif 000006
【図５】
2007167451.tif 000007